(57)【特許請求の範囲】
【請求項１】
包装箱Ａの底面に設けられた隙間に、包装箱Ｂに設けられ上方に突出する突出片を差し込んで連結し、一体化される連結包装箱であって、
前記隙間が、前記包装箱Ａの底面中央部に設けられ、前記突出片が包装箱Ｂの蓋面板の中央部から上方に突出するように形成されていて、かつ、前記包装箱Ｂは、左右の側面板が底面板の左右に設けられ、底面板に斜めに連設された折込片を内方に折り込むことによって、前面板、後面板、左右の前記側面板が前記底面板に対して垂直に立ち上がり、左右の前記側面板の先端部に連設された外方に折られた固定片が前記前面板の上端に連設された前記蓋面板に接するように設けられ、また、前記蓋面板を前記後面板と係止するための係止機構が設けられていることを特徴とする連結包装箱。
【請求項２】
包装箱Ａの底面に設けられた隙間に、包装箱Ｂに設けられ上方に突出する突出片を差し込んで連結し、一体化される連結包装箱であって、
前記隙間が、包装箱Ａの底板と前後いずれかの面板との間に設けられ、前記突出片が包装箱Ｂの前後いずれかの面板に設けられ、蓋面板が前記突出片の設けられていない前後いずれかの面板に連設されていて、かつ、前記包装箱Ｂは、左右の側面板が底面板の左右に設けられ、底面板に斜めに連設された折込片を内方に折り込むことによって、前面板、後面板、左右の前記側面板が前記底面板に対して垂直に立ち上がり、左右の前記側面板の先端部に連設された外方に折られた固定片が前記蓋面板に接するように設けられ、また、前記蓋面板を前記蓋面板が設けられていないいずれかの面板と係止するための係止機構が設けられていることを特徴とする連結包装箱。
【発明の詳細な説明】
【技術分野】
【０００１】
本発明は、連結包装箱に関するものである。
【背景技術】
【０００２】
異なる商品を組み合わせて販売したり、商品に景品を添付して販売したりすることがある。例えば、シャンプーとリンスをそれぞれ別の包装箱に入れて、それを一体的に連結させて販売したり、あるいは、商品の入った包装箱に、販促品などの景品を入れた包装箱をばらばらにならないように、一体的に連結させて販売したりすることがよくある。
【０００３】
このような連結包装箱としては、包装用箱（Ａ）の片側面部に、包装用箱（Ｂ）の片側面部を対向させ、包装用箱（Ａ）の片側面部の上端縁と上蓋部との隙間に、包装用箱（Ｂ）の突出片を差し込むことにより、両者を係脱自在に連結保持した包装用連結箱がある（特許文献１）。
【０００４】
そして、この包装用連結箱では、包装用箱（Ａ）が、一枚のシートを直方体状に組み立てた箱体で、正面部，背面部，左右の側面部からなる四角筒部と、上記四角筒部の上部開口を蓋する上蓋部と、四角筒部の下部開口を蓋する下蓋部とを備えている包装用箱であって、包装用箱（Ｂ）が、一枚のシートを略直方体状に組み立てた箱体で、正面部，背面部，左右の側面部からなる四角筒部と、上記四角筒部の上部開口を蓋する上蓋部と、四角筒部の下部開口を蓋する下蓋部とを備え、四角筒部の左右の側面部形状が、包装用箱（Ａ）の四角筒部の左右の側面部形状と同一に設定され、かつ左右の側面部のうち片方の側面部上端縁から外側に、所定幅だけ突出する突出片が形成されている包装用箱からなっている。
【０００５】
この包装用連結箱では、左右の側面部のうち片方の側面部上端縁から外側に、突出する突出片で連結させているだけなので、簡単に連結が取れてしまう。また、容易に包装用箱（Ｂ）の上蓋部を開けることができるので、中の商品や景品を陳列しているときに、取り出されてしまう恐れもあった。
【０００６】
これを防ぐため、包装用箱（Ａ）と包装用箱（Ｂ）の連結をテープで補強したり、上蓋部と下蓋部が開かないようにテープや接着剤で止めたりすると、梱包作業に手間がかかってしまう。
【０００７】
公知文献を以下に示す。
【先行技術文献】
【特許文献】
【０００８】
【特許文献１】特開２０００−３１８７２６号公報
【発明の概要】
【発明が解決しようとする課題】
【０００９】
本発明は上記のような事情に鑑みてなされたもので、包装箱Ａと包装箱Ｂからなり、包装箱Ｂが、陳列しているときに、中の収納物が取り出されてしまう恐れがなく、梱包作業に手間のかからない連結包装箱を提供することを課題とする。
【課題を解決するための手段】
【００１０】
本発明は係る課題に鑑みなされたものであり、請求項１の発明は、包装箱Ａの底面に設けられた隙間に、包装箱Ｂに設けられ上方に突出する突出片を差し込んで連結し、一体化される連結包装箱であって、
前記隙間が、前記包装箱Ａの底面中央部に設けられ、前記突出片が包装箱Ｂの蓋面板の中央部から上方に突出するように形成されていて、かつ、前記包装箱Ｂは、左右の側面板が底面板の左右に設けられ、底面板に斜めに連設された折込片を内方に折り込むことによ
って、前面板、後面板、左右の前記側面板が前記底面板に対して垂直に立ち上がり、左右の前記側面板の先端部に連設された外方に折られた固定片が前記前面板の上端に連設された前記蓋面板に接するように設けられ、また、前記蓋面板を前記後面板と係止するための係止機構が設けられていることを特徴とする連結包装箱である。
【００１１】
本発明の包装袋は、以上のような構成であって、包装箱Ａの底面の中央部に設けられた隙間に、包装箱Ｂの蓋面板の中央部に設けられ上方に突出する突出片を差し込んで連結し一体化され、包装箱Ｂは、折込片を内方に折り込み、固定片が蓋面板に接するように設けられ、蓋面板を係止するための係止機構が設けられているので、陳列しているときに、中の商品や景品などの収納物が取り出されてしまう恐れがなく、接着剤などで固定することなく容易に組み立てられ、梱包作業に手間がかからない。また、包装箱Ａと包装箱Ｂが中央部分で連結されているので、安定して一体化される。また、蓋面板に突出片を設けているので、包装箱Ｂを形成するための材料シートの面積が少なくて済み、コストを抑えることができる。
【００１２】
本発明の請求項２の発明は、包装箱Ａの底面に設けられた隙間に、包装箱Ｂに設けられ上方に突出する突出片を差し込んで連結し、一体化される連結包装箱であって、
前記隙間が、包装箱Ａの底板と前後いずれかの面板との間に設けられ、前記突出片が包装箱Ｂの前後いずれかの面板に設けられ、蓋面板が前記突出片の設けられていない前後いずれかの面板に連設されていて、かつ、前記包装箱Ｂは、左右の側面板が底面板の左右に設けられ、底面板に斜めに連設された折込片を内方に折り込むことによって、前面板、後面板、左右の前記側面板が前記底面板に対して垂直に立ち上がり、左右の前記側面板の先端部に連設された外方に折られた固定片が前記蓋面板に接するように設けられ、また、前記蓋面板を前記蓋面板が設けられていないいずれかの面板と係止するための係止機構が設けられていることを特徴とする連結包装箱である。
【００１５】
本発明の包装袋は、以上のような構成であって、包装箱Ａの底面に設けられた隙間に、
包装箱Ｂに設けられ上方に突出する突出片を差し込んで連結し一体化され、包装箱Ｂは、折込片を内方に折り込み、固定片が蓋面板に接するように設けられ、蓋面板を係止するための係止機構が設けられているので、陳列しているときに、中の商品や景品などの収納物が取り出されてしまう恐れがなく、接着剤などで固定することなく容易に組み立てられ、梱包作業に手間がかからない。また、前記隙間が、包装箱Ａの底板と前後いずれかの面板との間に設けられ、包装箱Ｂの突出片が、前後いずれかの面板に設けられているので、包装箱Ｂが上下に薄い箱であっても、突出片を長く設けることができ、安定して連結して一体化することができる。
【００１９】
本発明では、包装箱Ｂの固定片が、外方に折られて蓋面板に接するように設けられているので、底側から見ても蓋面板の裏面が固定片で隠され、材料シートの表の面が見え、裏面が見えないので、裏表の異なる紙材料を用いたときに意匠性に優れ、また、印刷を設けるときもおもて面のみに印刷を施せばよいのでコスト的に有利である。
【発明の効果】
【００２０】
本発明の連結包装箱は、陳列しているときに、中の商品や景品が取り出されてしまう恐れがなく、梱包作業に手間のかからない包装箱からなり、また、連結が不用意に外れてしまうことがない。
【図面の簡単な説明】
【００２１】
【図１】本発明の連結包装箱の第１の実施形態を、模式的に包装箱Ａを斜め下から、包装箱Ｂを斜め上から見た説明図である。
【図２】本発明の連結包装箱の第１の実施形態の包装箱Ｂを模式的に示した説明図である。（Ａ）平面図である。（Ｂ）正面図である。（Ｃ）右側面図である。
【図３】本発明の連結包装箱の第１の実施形態の包装箱Ｂのブランクを示した説明図である。
【図４】本発明の連結包装箱の第１の実施形態の包装箱Ｂの組み立て方を説明する模式図である。（Ａ）平面図である。（Ｂ）正面図である。
【図５】本発明の連結包装箱の第１の実施形態の包装箱Ｂの組み立て方を説明する次の模式図で、平面図である。
【図６】本発明の連結包装箱の第２の実施形態を、模式的に包装箱Ａを斜め下から、包装箱Ｂを斜め上から見た説明図である。
【図７】本発明の連結包装箱の第２の実施形態の包装箱Ｂを模式的に示した説明図である。（Ａ）平面図である。（Ｂ）正面図である。（Ｃ）右側面図である。
【図８】本発明の連結包装箱の第２の実施形態の包装箱Ｂのブランクを示した説明図である。
【図９】本発明の連結包装箱の第２の実施形態の包装箱Ｂの組み立て方を説明する模式図である。（Ａ）平面図である。（Ｂ）正面図である。（Ｃ）背面図である。
【図１０】本発明の連結包装箱の第２の実施形態の包装箱Ｂの組み立て方を説明する次の模式図で、平面図である。
【発明を実施するための形態】
【００２２】
＜第１の実施形態＞
以下、本発明を実施するための第１の実施形態につき説明する。
図１は、本発明の連結包装箱の第１の実施形態を、模式的に包装箱Ａを斜め下から、包装箱Ｂを斜め上から見た説明図、図２は、本発明の連結包装箱の第１の実施形態の包装箱Ｂを模式的に示した説明図で（Ａ）平面図、（Ｂ）正面図、（Ｃ）右側面図である。
【００２３】
第１の実施形態の連結包装箱１００は、図１のように、包装箱Ａ１と包装箱Ｂ１からなり、包装箱Ａ１の底面に設けられた隙間Ｓ１に包装箱Ｂ１に設けられ上方に突出する突出片１を差し込んで連結し、一体化される。
【００２４】
本実施形態の包装箱Ａ１は、対向する正面板Ａ１１、背面板と、対向する左面板Ａ１２、右面板とからなる筒状の胴部を有し、左面板Ａ１２と右面板の下端に底側内フラップＡ１３、Ａ１３が連設され、また、正面板Ａ１１と背面板の下端に底側外フラップＡ１４、Ａ１４が連設されている。
【００２５】
そして、底側外フラップＡ１４、Ａ１４と底側内フラップＡ１３、Ａ１３で囲まれた部分に隙間Ｓ１が設けられている。この隙間Ｓ１に包装箱Ｂ１に設けられ上方に突出する突出片１が差し込まれ連結し、一体化され連結包装箱１００が形成される。
【００２６】
包装箱Ｂ１は、図１、図２のように、前面板２の上端に蓋面板３が連設され、蓋面板３に切れ目と折罫により形成された突出片１が設けられ、上方に突出している。このように、突出片１が蓋面板３に切れ目と折罫により形成されているので、包装箱Ｂ１を形成するための材料シートの面積が少なくて済み、コストを抑えることができる。また、包装箱Ａ１と包装箱Ｂ１が中央部分で連結されているので、安定して一体化される。また、蓋面板３の先端側には差込片４が連設され、後面板５の内側に差し込まれている。
【００２７】
前面板２は、上辺が長く、下辺が短く、上辺の左右両端から垂直に下方に向かう直線と屈曲して斜めに下辺の左右両端に向かう直線で形成された船形の六角形状に形成されている。左右両端に向かう直線の部分と、左側面板６や右側面板７の間には、折込片８、８が設けられ、後面板５も同様に左側面板６や右側面板７の間には、折込片８、８が設けられ、折込片８、８、８、８を折り込むことによって、前面板２、後面板５、左側面板６、右側面板７が垂直に立ち上がっている。
【００２８】
このようになっているので、左側面板６や右側面板７を外側に倒して、収納物を取り出そうとしても、蓋面板３が係止機構により固定されているので、左側面板６や右側面板７を外側に倒すことはできない。
【００２９】
また、左側面板６には、本実施形態では貫通孔による窓部１１が設けられている。窓部１１は、中に収納した商品や景品に表示された消費期限などの製品表示が包装箱Ｂ１を開かなくても見えるように設けられている。尚、蓋面板３に設けられた開封用貫通孔１５を通して、蓋面板３が不用意に開かないようにする係止機構の係止用突起１２が見えている。
【００３０】
以下、包装箱Ｂ１について、詳しく説明する。
図３は、本発明の連結包装箱の第１の実施形態の包装箱Ｂのブランクを示した説明図、図４は、本発明の連結包装箱の第１の実施形態の包装箱Ｂの組み立て方を説明する模式図で、（Ａ）平面図、（Ｂ）正面図、図５は、本発明の連結包装箱の第１の実施形態の包装箱Ｂの組み立て方を説明する次の模式図で、平面図である。
【００３１】
包装箱Ｂ１は、図３に示すブランクＢ１１を、一点鎖線で示す折罫を折って組み立てる。ブランクＢ１１用いる材料シートには、ライナーと中芯を貼りあわせてなる段ボール原紙が用いられる。ライナーは表面に漂白パルプを用いたものが好ましい。片面しか包装箱の外側に露出しない場合は、片面にのみ漂白パルプを用いたライナーを用いればよい。また、段ボール原紙ではなく、中芯に多層抄きの板紙を用いたものでもよい。
【００３２】
図３は、包装箱Ｂ１のブランクを裏面側から示した説明図である。図の左右中央の上寄りに底面板９が設けられ、底面板９の左右にそれぞれ、左側面板６と右側面板７が設けられ、上下にそれぞれ、後面板５と前面板２が設けられている。
【００３３】
後面板５と前面板２は、それぞれ、上辺が長く、下辺が短く、上辺の左右両端から垂直に下方に向かう直線と屈曲して下辺の左右両端に向かう直線で形成された船形の六角形状に形成されている。後面板５や前面板２の屈曲したのち下辺の左右両端に向かう直線の部分と、左側面板６や右側面板７の間には、折込片８、８、８、８が設けられている。
【００３４】
左側面板６や右側面板７の左右外側には、それぞれ固定片１０、１０が設けられている。また、左側面板６には、本実施形態では貫通孔による窓部１１が設けられている。窓部１１は、中に収納した商品や景品に表示された消費期限などの製品表示が包装箱Ｂ１を開かなくても見えるように設けた。そして、後面板５の上端部の左右中央部には、係止用突起１２が設けられている。
【００３５】
前面板２の下端部には、蓋面板３が連設され、さらに、蓋面板３の下端部には、差込片４が連設されている。蓋面板３には、切れ目と突出片用貫通孔１３、および、折罫とで囲まれて突出片１が形成されている。突出片用貫通孔１３は突出片１を起こして垂直に立ち
上げるときに指が入って端部を引っ掛けられるように設けてある。
【００３６】
蓋面板３と差込片４の境界にはその左右中央部分に係止用切れ目１４が設けられ、係止用切れ目１４に接して、開封用貫通孔１５が設けられている。
【００３７】
包装箱Ｂ１を組み立てるには、折込片８、８、８、８を折り込むことによって、前面板２、後面板５、左側面板６、右側面板７を底面板９に対して垂直に立ち上げる。また、固定片１０、１０を外側に倒す。これにより、図４の（Ａ）平面図、（Ｂ）正面図のように、なる。
【００３８】
本実施形態では固定片１０、１０を外側に倒したが、内側に倒してもよい。外側に倒すと蓋面板３の裏側が隠れ、材料シートの裏面が見えなくなり、裏面に意匠性を持たせることが必要なくなる。また、内側に倒した場合は、固定片１０が包装箱Ｂ１の内側に入るので、固定片１０を引っ張って、左側面板６や右側面板７を外側に倒すことができないので、収納物を陳列しているときに、取り出されてしまう恐れがさらになくなる。
【００３９】
そして、蓋面板３を内方に倒し、差込片４を後面板５の内側に差し込む、さらに後面板５の上端部に設けられた係止機構の係止用突起１２を係止用切れ目１４に差し込んで、係止する。これにより図５の平面図のようになり、係止用突起１２を係止用切れ目１４から抜かないかぎり、蓋面板３が開くことがなく、不用意に開けられることがない。
【００４０】
突出片用貫通孔１３に指を入れて、突出片１を蓋面板３に対して垂直に立ち上げる。これにより、図１や図２のような、包装箱Ｂ１が組み立てられる。このように接着剤やテープを用いずに包装箱Ｂ１を組み立てることができる。最後に、係止機構の係止用突起１２を係止用切れ目１４から抜けないように、テープ止めしてもよい。
【００４１】
このように組み立てられた包装箱Ｂ１の突出片１を包装箱Ａ１の隙間Ｓ１に差し込んで、連結し、一体化して連結包装箱１００を完成させる。
【００４２】
包装箱Ｂ１を開いて中の収納物を取り出すには、包装箱Ｂ１の突出片１を包装箱Ａ１の隙間Ｓ１から抜いて、包装箱Ａ１と包装箱Ｂ１を分離させ、開封用貫通孔１５に指をいれ、係止用突起１２を係止用切れ目１４から抜き出し、係止機構を解除する。
【００４３】
そして、差込片４を後面板５の内側から抜いて蓋面板３を起こして開くと、前面板２、後面板５、左側面板６、右側面板７がそれぞれ外側に倒れ、収納物が容易に取り出せるようになる。
【００４４】
＜第２の実施形態＞
以下、本発明を実施するための第２の実施形態につき説明する。
図６は、本発明の連結包装箱の第２の実施形態を、模式的に包装箱Ａを斜め下から、包装箱Ｂを斜め上から見た説明図、図７は、本発明の連結包装箱の第２の実施形態の包装箱Ｂを模式的に示した説明図で、（Ａ）平面図、（Ｂ）正面図、（Ｃ）右側面図である。
【００４５】
第２の実施形態の連結包装箱２００は、図６のように、包装箱Ａ２と包装箱Ｂ２からなり、包装箱Ａ２の底面に設けられた隙間Ｓ２に包装箱Ｂ２に設けられ上方に突出する突出片２１を差し込んで連結し、一体化される。
【００４６】
本実施形態の包装箱Ａ２は、対向する正面板Ａ２１、背面板と、対向する左面板Ａ２２、右側面板からなる筒状の胴部を有し、正面板Ａ２１の下端に底板Ａ２３が連設され、底板Ａ２３の先端に差込片が連設され、差込片を後面板の内側に差込、底板Ａ２３で底面を閉じている。
【００４７】
そして、差込片と後面板の間に隙間Ｓ２が設けられている。この隙間Ｓ２に包装箱Ｂ２に設けられ上方に突出する突出片２１が差し込まれ連結し、一体化され連結包装箱２００が形成される。
【００４８】
包装箱Ｂ２は、図６、図７のように、前面板２２の上端に蓋面板２３が連設されている。また、突出片２１は後面板２５の上端より上方に向かって延びている。突出片２１と後面板２５の間は、折罫を設けてもよいが、折罫を設けず、そのまま一体となって繋がっている方が包装箱Ａ２に連結させたときに安定する。また、突出片２１が後面板２５の上端に延設されているので、包装箱Ｂ２の寸法にかかわらず、長くして設けることができるので、包装箱Ａ１と安定して連結させ一体化することができる。
【００４９】
前面板２２は、上辺が長く、下辺が短く、上辺の左右両端から垂直に下方に向かう直線と屈曲して下辺の左右両端に向かう直線で形成された船形の六角形状に形成されている。左右両端に向かう直線の部分と、左側面板２６や右側面板２７の間には、折込片２８、２８が設けられ、後面板２５も同様に左側面板２６や右側面板２７の間には、折込片２８、２８が設けられ、折込片２８、２８、２８、２８を折り込むことによって、前面板２２、後面板２５、左側面板２６、右側面板２７が垂直に立ち上がっている。
【００５０】
このようになっているので、左側面板２６や右側面板２７を外側に倒して、収納物を取り出そうとしても、蓋面板２３が後述する係止機構により固定されているので、左側面板２６や右側面板２７を外側に倒すことはできない。
【００５１】
また、左側面板２６には、本実施形態では貫通孔による窓部３１が設けられている。窓部３１は、中に収納した商品や景品に表示された消費期限などの製品表示が包装箱Ｂ２を開かなくても見えるように設けられている。尚、突出片２１の左右中央の下端部分に設けられた貫通孔は、後述する係止用舌片を形成するために、切れ目と折罫により設けられたものである。
【００５２】
以下、包装箱Ｂ２について、詳しく説明する。
図８は、本発明の連結包装箱の第２の実施形態の包装箱Ｂのブランクを示した説明図、図９は、本発明の連結包装箱の第２の実施形態の包装箱Ｂの組み立て方を説明する模式図で、（Ａ）平面図、（Ｂ）正面図、（Ｃ）背面図である。また、図１０は、本発明の連結包装箱の第２の実施形態の包装箱Ｂの組み立て方を説明する次の模式図で、平面図である。
【００５３】
包装箱Ｂ２は、図８に示すブランクＢ２１を、一点鎖線で示す折罫を折って組み立てる。ブランクＢ２１用いる材料シートには、ライナーと中芯を貼りあわせてなる段ボール原紙が用いられる。ライナーは表面に漂白パルプを用いたものが好ましい。片面しか包装箱の外側に露出しない場合は、片面にのみ漂白パルプを用いたライナーを用いればよい。また、段ボール原紙ではなく、中芯に多層抄きの板紙を用いたものでもよい。
【００５４】
図８は、包装箱Ｂ２のブランクを裏面側から示した説明図である。図の上下左右中央に底面板２９が設けられ、底面板２９の左右にそれぞれ、左側面板２６と右側面板２７が設けられ、上下にそれぞれ、後面板２５と前面板２２が設けられている。
【００５５】
後面板２５と前面板２２は、それぞれ、上辺が長く、下辺が短く、上辺の左右両端から垂直に下方に向かう直線と屈曲して下辺の左右両端に向かう直線で形成された船形の六角形状に形成されている。後面板２５や前面板２２の屈曲したのち下辺の左右両端に向かう直線の部分と、左側面板２６や右側面板２７の間には、折込片２８、２８、２８、２８が
設けられている。
【００５６】
左側面板２６や右側面板２７の左右外側には、それぞれ固定片３０、３０が設けられている。また、左側面板２６には、本実施形態では貫通孔による窓部３１が設けられている。窓部３１は、中に収納した商品や景品に表示された消費期限などの製品表示が包装箱Ｂ２を開かなくても見えるように設けた。
【００５７】
そして、後面板２５の上端には、突出片２１が延設されている。突出片２１には切れ目と折罫により、係止用舌片３２が設けられている。また、係止用舌片３２の下端部分の左右中央には、係止用切れ目３３が設けられている。さらに、係止用切れ目３３の下に接続して、開封用貫通孔３４が設けられている。
【００５８】
前面板２２の下端には、蓋面板２３が連設され、さらに、蓋面板２３の下端の左右中央には係止用差込片２４が設けられている。
【００５９】
ブランクＢ２１から包装箱Ｂ２を組み立てるには、折込片２８、２８、２８、２８を折り込むことによって、前面板２２、後面板２５、左側面板２６、右側面板２７を底面板２９に対して垂直に立ち上げる。また、固定片３０、３０を外側に倒す。これにより、図９の（Ａ）平面図、（Ｂ）正面図、（Ｃ）背面図のようになる。
【００６０】
本実施形態では固定片３０、３０を外側に倒したが、内側に倒してもよい。外側に倒すと蓋面板２３の裏側が隠れ、材料シートの裏面が見えなくなり、裏面に意匠性を持たせることが必要なくなる。また、内側に倒した場合は、固定片３０が包装箱Ｂ２の内側に入るので、固定片３０を引っ張って、左側面板２６や右側面板２７を外側に倒すことができないので、収納物を陳列しているときに、取り出されてしまう恐れがさらになくなる。
【００６１】
次に、図１０の平面図のように、係止用差込片２４を内方に倒す。そして、蓋面板２３を内方に倒し、係止用差込片２４を後面板２５と係止用舌片３２の間に設けた係止用切れ目３３に差し込む。
【００６２】
このように、係止機構として、係止用差込片２４を設け、係止用差込片２４と後面板２５の間に設けた係止用切れ目３３に係止用差込片２４を差し込んで、係止しているので不用意に開けられることがない。また、係止用舌片２４が後面板２５の上端に設けられているので、蓋面板２３が支えられ、包装箱の内側に落ち込むことがない。
【００６３】
以上のようにして、図６や図７のような、包装箱Ｂ２が組み立てられる。このように接着剤やテープを用いずに包装箱Ｂ１を組み立てることができる。最後に、係止機構の係止用差込片２４が係止用切れ目３３から抜けないように、テープ止めしてもよい。
【００６４】
このように組み立てられた包装箱Ｂ２の突出片２１を包装箱Ａ２の隙間Ｓ２に差し込んで、連結し、一体化して連結包装箱２００を完成させる。
【００６５】
包装箱Ｂ２を開いて中の収納物を取り出すには、包装箱Ｂ２の突出片２１を包装箱Ａ２の隙間Ｓ２から抜いて、包装箱Ａ２と包装箱Ｂ２を分離させ、開封用貫通孔３４に指をいれ、係止用突起１２を係止用切れ目１４から抜き出し、係止機構を解除する。
【００６６】
そして、係止用差込片２４を係止用切れ目３３から抜いて蓋面板２３を起こして開くと、前面板２２、後面板２５、左側面板２６、右側面板２７がそれぞれ外側に倒れ、収納物が容易に取り出せるようになる。
【符号の説明】
【００６７】
１００、２００・・・連結包装箱
Ａ１、Ｂ１、Ａ２、Ｂ２・・・包装箱
Ｓ１、Ｓ２・・・隙間
Ａ１１、Ａ２１・・・正面板
Ａ１２、Ａ２２・・・左面板
Ａ１３・・・底側内フラップ
Ａ１４・・・底側外フラップ
Ａ２３・・・底板
Ｂ１１、Ｂ２１・・・ブランク
１、２１・・・突出片
２、２２・・・前面板
３、２３・・・蓋面板
４・・・差込片
５、２５・・・後面板
６、２６・・・左側面板
７、２７・・・右側面板
８、２８・・・折込片
９、２９・・・底面板
１０、３０・・・固定片
１１、３１・・・窓部
１２・・・係止用突起
１３・・・突出片用貫通孔
１４、３３・・・係止用切れ目
１５、３４・・・開封用貫通孔
２４・・・係止用差込片
３２・・・係止用舌片
【図１】
0006424516.tif 000002
【図２】
0006424516.tif 000003
【図３】
0006424516.tif 000004
【図４】
0006424516.tif 000005
【図５】
0006424516.tif 000006
【図６】
0006424516.tif 000007
【図７】
0006424516.tif 000008
【図８】
0006424516.tif 000009
【図９】
0006424516.tif 000010
【図１０】
0006424516.tif 000011